(57)【要約】【課題】ヘッドジンバルアセンブリに装備された磁気ヘッドスライダを、振動や加振を引き起こす乱流から保護することができるヘッドジンバルアセンブリ用乱流防止構造を備えたヘッドスタックアセンブリ（ＨＳＡ）を提供すること。【解決手段】ヘッドスタックアセンブリは、ボイスコイルと、このボイスコイルに結合され、少なくとも１つアクチュエータアームを備えたＥブロックと、アクチュエータアームのそれぞれの先端部に連結されており、磁気ヘッドスライダを搭載するフレキシャを有するサスペンションを備えた、少なくとも１つのヘッドジンバルアセンブリと、フレキシャの変位を減少させるために当該フレキシャのテール端部を支持する支持部を有し、アクチュエータアームのそれぞれに形成された少なくとも１つの支持ブロックと、を備えた。【選択図】図１
2007164968.tif 000002
【特許請求の範囲】
【請求項１】
ボイスコイルと、
このボイスコイルに結合され、少なくとも１つアクチュエータアームを備えたＥブロックと、
前記アクチュエータアームのそれぞれの先端部に連結されており、磁気ヘッドスライダを搭載するフレキシャを有するサスペンションを備えた、少なくとも１つのヘッドジンバルアセンブリと、
前記フレキシャの変位を減少させるために当該フレキシャのテール端部を支持する支持部を有し、前記アクチュエータアームのそれぞれに形成された少なくとも１つの支持ブロックと、
を備えたことを特徴とするヘッドスタックアセンブリ。
【請求項２】
前記支持ブロックは、前記アクチュエータアームのそれぞれの先端部に設けられおり、前記支持部は、前記アクチュエータアームの側部に位置している、
ことを特徴とする請求項１記載のヘッドスタックアセンブリ。
【請求項３】
前記支持ブロックは、前記マイクロアクチュエータの表面に低く形成された段状の表側面部と、前記マイクロアクチュエータの裏面に低く形成された段状の裏側面部と、前記表側面部と前記裏側面部のうち少なくとも一方面から突出している前記支持部と、前記ヘッドジンバルアセンブリを係合する係合穴と、を有する段状支持部を備えた、
ことを特徴とする請求項１又は２記載のヘッドスタックアセンブリ。
【請求項４】
前記支持部は、前記フレキシャの前記テール端部を支持する支持面を有する、
ことを特徴とする請求項１，２又は３記載のヘッドスタックアセンブリ。
【請求項５】
一組のディスクと、
当該ディスクを回転させるスピンドルモータと、
ヘッドスタックアセンブリと、
このヘッドスタックアセンブリを駆動するボイスコイルモータと、
を備えたディスク装置であって、
前記ヘッドスタックアセンブリは、
ボイスコイルと、
このボイスコイルに結合され、少なくとも１つアクチュエータアームを備えたＥブロックと、
前記アクチュエータアームのそれぞれの先端部に連結されており、磁気ヘッドスライダを搭載するフレキシャを有するサスペンションを備えた、少なくとも１つのヘッドジンバルアセンブリと、
前記フレキシャの変位を減少させるために当該フレキシャのテール端部を支持する支持部を有し、前記アクチュエータアームのそれぞれに形成された少なくとも１つの支持ブロックと、
を備えたことを特徴とするディスク装置。
【請求項６】
前記支持ブロックは、前記アクチュエータアームのそれぞれの先端部に設けられており、前記支持部は、前記アクチュエータアームの側部に位置している、
ことを特徴とする請求項１記載のディスク装置。
【請求項７】
前記支持ブロックは、前記マイクロアクチュエータの表面に低く形成された段状の表側面部と、前記マイクロアクチュエータの裏面に低く形成された段状の裏側面部と、前記表側面部と前記裏側面部のうち少なくとも一方面から突出している前記支持部と、前記ヘッドジンバルアセンブリを係合する係合穴と、を有する段状支持部を備えた、
ことを特徴とする請求項１又は２記載のディスク装置。
【請求項８】
前記支持部は、前記フレキシャの前記テール端部を支持する支持面を有する、
ことを特徴とする請求項１，２又は３記載のディスク装置。
【請求項９】
ヘッドスタックアセンブリの製造方法であって、
ボイスコイルを成形する工程と、
このボイスコイルに結合され、少なくとも１つアクチュエータアームを備えたＥブロックを成形する工程と、
前記アクチュエータアームのそれぞれの先端部に連結され、磁気ヘッドスライダを搭載するフレキシャを有するサスペンションを備えた、少なくとも１つのヘッドジンバルアセンブリを成形する工程と、を有し、
前記Ｅブロックを成形する工程は、前記フレキシャのテール端部を支持する支持部を有する少なくとも１つの支持ブロックを成形する工程を有する、
ことを特徴とするヘッドスタックアセンブリの製造方法。
【請求項１０】
前記支持ブロックを成形する工程は、当該支持ブロックを前記アクチュエータアームのそれぞれの先端部に成形し、前記支持部を、前記アクチュエータアームの側部に成形する、
ことを特徴とする請求項９記載のヘッドスタックアセンブリの製造方法。
【請求項１１】
前記支持ブロックを成形する工程は、前記マイクロアクチュエータの表面に低く形成された段状の表側面部と、前記マイクロアクチュエータの裏面に低く形成された段状の裏側面部と、前記表側面部と前記裏側面部のうち少なくとも一方面から突出している前記支持部と、前記ヘッドジンバルアセンブリを係合する係合穴と、を有する段状支持部を成形する、
ことを特徴とする請求項９又は１０記載のヘッドスタックアセンブリの製造方法。
【請求項１２】
前記支持ブロックを成形する工程は、前記支持部に前記フレキシャの前記テール端部を支持する支持面を成形する、
ことを特徴とする請求項９，１０又は１１記載のヘッドスタックアセンブリの製造方法。
【請求項１３】
さらに、支持ブロックの支持部にフレキシャのテール端部を固定する工程を有する、
ことを特徴とする請求項９，１０，１１又は１２記載のヘッドスタックアセンブリの製造方法。
【発明の詳細な説明】
【技術分野】
【０００１】
本発明は、ディスク装置にかかり、特に、ディスク装置に装備されたヘッドジンバルアセンブリ（ＨＧＡ）への乱流を防止すると共に、当該ヘッドジンバルアセンブリに装備された磁気ヘッドスライダの位置ずれを抑制する構造を備えたヘッドスタックアセンブリ（ＨＳＡ）に関する。
【背景技術】
【０００２】
ディスク装置は、データを記憶する磁気ディスクを用いた情報記憶装置である。そして、一般的なディスク装置は、図１０に示すように、まず、一組の磁気ディスク８０２を収容するハウジング８０１を備えている。なお、各磁気ディスクの表面には磁気コーティングが施され、同心円状に複数のトラック（図示せず）が形成されている。また、磁気ディスク８０２は、当該ディスク８０２を回転させるスピンドルモータ８０３に搭載されている。また、ハウジング８０１には、アクチュエータアーム８０４が配設されており、当該アクチュエータアーム８０４は、ＨＧＡ８０５が磁気ディスク８０２上を浮上するよう、ボイスコイルモータ８０７（ＶＣＭ）によって制御される。そして、ＨＧＡ８０５によって磁気ディスク８０２上に運ばれた磁気ヘッドスライダ８０６（あるいは、磁気ヘッド）は、磁気ディスク８０２に対してデータの記録再生を行うために、磁気ディスク８０２表面に形成されたトラック間を移動する。
【０００３】
そして、ディスク装置の作動時には、磁気ヘッドスライダ８０６と回転する磁気ディスク８０２との間における空力作用によって、浮上力が生じる。この浮上力は、ＨＧＡ８０５のサスペンションによって付勢されるバネ力に対して反対方向に等しい力であり、回転している磁気ディスク８０２の表面上における浮上は、アクチュエータアーム８０４の半径方向の動作中、維持される。
【０００４】
また、ディスク装置の容量の急速な増加と、ヘッドシーキングタイム及びヘッドセットリングタイムの向上に伴い、ディスクのＲＰＭ（round per minute：一分間の回転数）は、例えば、７２００，１００００，１５０００ＲＰＭというように、ますます高くなっている。そして、このような磁気ディスクの高速回転により、当該磁気ディスクの回転によって、アクチュエータアーム及びＨＧＡのサスペンションに沿って磁気ヘッドスライダのＡＢＳ（浮上面）に向かって生じる空気流は、ますます高速になっている。これにより、アクチュエータアーム及びＨＧＡのサスペンションに対する空気流量が増大し、大きな乱流が生じ、その結果、ＨＧＡに振動が生じる。すると、かかる振動により、磁気ディスク上にロードされた磁気ヘッドスライダに位置ずれが生じ、ディスク装置の記録再生エラーが生じうる。
【０００５】
ここで、従来における空気流を抑制するためのアクチュエータアームの構造は、非常に小さく、また、構造の厚さに制限があるため、空気流をアクチュエータアーム／サスペンションとディスク表面との間のスペースから磁気ヘッドスライダのＡＢＳにまで容易に通過してしまっていた。従って、依然として、乱流とアクチュエータアーム／サスペンションの振動を生じさせうる、という問題があった。
【０００６】
また、サスペンションのアクチュエータアームとロードビームは、剛体材料で形成されているため、サスペンションのフレキシャ、特にそのテール側（後端部側）は、乱流のため振動しやすくなっている。その上、フレキシャは柔軟性を有しており、テール側にて全く支持されていないため、その振動はより深刻である。このことは、磁気ヘッドスライダ（あるいは磁気ヘッド）の浮上に影響を及ぼし、乱流と磁気ヘッドスライダの位置ずれを生じさせうる。
【０００７】
ここで、上記問題を解決するため、下記特許文献１では、磁気ヘッドスライダの空気流流入側端部への空気流経路に沿って、アクチュエータアームとＨＧＡに振動と加振を生じさせる空気流を阻止するために、シールドを装備している。ここで、図１１及び図１２に、特許文献１の詳細を示す。図１１において、アクチュエータアーム７８は、ＨＧＡ７６を制御し、これにより、磁気ヘッドスライダ８４は、磁気ディスク上１０１を浮上する。そして、磁気ディスク１０１がスピンドルモータによって回転されると、空気流９４が生じ、この空気流９４は図示するように磁気ディスク１０１の表面を周るよう流れ、ＨＧＡ７６とアクチュエータアーム７８によって妨げられる。そして、シールドは、アクチュエータアーム７８の先端部７７の側部（空気流が流れてくる方向側の側部）から延設された突起部１１２を有する。この突起部１１２は、アクチュエータアーム７８及びＨＧＡ７６の側部よりも突出しており、乱流をＨＧＡ７６から離れるよう導く流路を形成している。従って、乱気流領域１００は、ＨＧＡ７６から離れて移動する。これにより、マイクロアクチュエータ７８とＨＧＡ７６に対する振動や加振を抑制することができ、磁気ヘッドスライダの浮上時の乱れを減少させ、磁気ヘッドスライダの位置ずれ及びディスク装置の記録再生エラーが生じる可能性を減少させることができる。
【０００８】
しかしながら、空気流を制限して乱流領域を変化させるシールドは、アクチュエータアームに対する制限力が大きくなればなるほど、磁気ヘッドスライダの振動を生じさせやすくなる。つまり、従来技術によると、磁気ヘッドスライダとフレキシャ（特に、フレキシャのテール部分）に振動を生じさせやすくし、磁気ヘッドスライダの浮上に大きな影響を及ぼし、当該磁気ヘッドスライダの位置ずれを引き起こしうる。
【０００９】
図１３乃至図１４に、従来設計における位置ずれの計測データを示す。この図において、１０〜１４ｋＨｚの領域における２つのピーク３０１は、磁気ヘッドスライダが７２００ＲＰＭのディスク装置で浮上しているときにおける当該磁気ヘッドスライダの位置ずれ量を示している。また、図１４において、１０〜１５ｋＨｚの領域における２つのピーク３０２は、フレキシャのテール部分における乱流の影響を示している。このように、フレキシャのテール部分に変位が生じ、磁気ヘッドスライダの位置ずれも生じる。
【００１０】
【特許文献１】米国特許第６，５７０，７４２号
【発明の開示】
【発明が解決しようとする課題】
【００１１】
以上より、ヘッドジンバルアセンブリに装備された磁気ヘッドスライダを、振動や加振を引き起こす乱流から保護することができるヘッドジンバルアセンブリ用乱流防止構造を備えたヘッドスタックアセンブリ（ＨＳＡ）を装備することが望まれている。
【課題を解決するための手段】
【００１２】
本発明の第１の形態は、ディスク装置のＨＧＡ用乱流防止構造を備えたヘッドスタックアセンブリ（ＨＳＡ）であり、乱流による磁気ヘッドスライダの振動や位置ずれを抑制することができる。
【００１３】
また、本発明の第２の形態は、ディスク装置のＨＧＡ用乱流防止構造を備えたＨＳＡの製造方法の発明である。これによっても、上述同様に、乱流による磁気ヘッドスライダの振動や位置ずれを抑制することができる。
【００１４】
また、本発明の第３の形態は、ディスク装置のＨＧＡ用乱流防止構造を備えたＨＳＡを装備したディスク装置の発明である。これによっても、上述同様に、乱流による磁気ヘッドスライダの振動や位置ずれを抑制することができる。
【００１５】
そして、具体的に、本発明の第１の形態であるヘッドスタックアセンブリは、
ボイスコイルと、
このボイスコイルに結合され、少なくとも１つアクチュエータアームを備えたＥブロックと、
アクチュエータアームのそれぞれの先端部に連結されており、磁気ヘッドスライダを搭載するフレキシャを有するサスペンションを備えた、少なくとも１つのヘッドジンバルアセンブリと、
フレキシャの変位を減少させるために当該フレキシャのテール端部を支持する支持部を有し、アクチュエータアームのそれぞれに形成された少なくとも１つの支持ブロックと、
を備えたことを特徴としている。
【００１６】
そして、上記支持ブロックは、アクチュエータアームのそれぞれの先端部に設けられおり、支持部は、アクチュエータアームの側部に位置している、ことを特徴としている。また、支持ブロックは、マイクロアクチュエータの表面に低く形成された段状の表側面部と、マイクロアクチュエータの裏面に低く形成された段状の裏側面部と、表側面部と裏側面部のうち少なくとも一方面から突出している支持部と、ヘッドジンバルアセンブリを係合する係合穴と、を有する段状支持部を備えた、ことを特徴としている。さらに、支持部は、フレキシャのテール端部を支持する支持面を有する、ことを特徴としている。
【００１７】
また、本発明の第３の形態であるディスク装置は、
一組のディスクと、
当該ディスクを回転させるスピンドルモータと、
ヘッドスタックアセンブリと、
このヘッドスタックアセンブリを駆動するボイスコイルモータと、
を備えたディスク装置であって、
ヘッドスタックアセンブリは、
ボイスコイルと、
このボイスコイルに結合され、少なくとも１つアクチュエータアームを備えたＥブロックと、
アクチュエータアームのそれぞれの先端部に連結されており、磁気ヘッドスライダを搭載するフレキシャを有するサスペンションを備えた、少なくとも１つのヘッドジンバルアセンブリと、
フレキシャの変位を減少させるために当該フレキシャのテール端部を支持する支持部を有し、アクチュエータアームのそれぞれに形成された少なくとも１つの支持ブロックと、
を備えたことを特徴としている。
【００１８】
そして、支持ブロックは、アクチュエータアームのそれぞれの先端部に設けられており、支持部は、アクチュエータアームの側部に位置している、ことを特徴としている。また、支持ブロックは、マイクロアクチュエータの表面に低く形成された段状の表側面部と、マイクロアクチュエータの裏面に低く形成された段状の裏側面部と、表側面部と裏側面部のうち少なくとも一方面から突出している支持部と、ヘッドジンバルアセンブリを係合する係合穴と、を有する段状支持部を備えた、ことを特徴としている。さらに、支持部は、フレキシャのテール端部を支持する支持面を有する、ことを特徴としている。
【００１９】
また、本発明の第２の形態であるヘッドスタックアセンブリの製造方法は、
ボイスコイルを成形する工程と、
このボイスコイルに結合され、少なくとも１つアクチュエータアームを備えたＥブロックを成形する工程と、
アクチュエータアームのそれぞれの先端部に連結されており、磁気ヘッドスライダを搭載するフレキシャを有するサスペンションを備えた、少なくとも１つのヘッドジンバルアセンブリを成形する工程と、を有し、
Ｅブロックを成形する工程は、フレキシャのテール端部を支持する支持部を有する少なくとも１つの支持ブロックを成形する工程を有する、
ことを特徴としている。
【００２０】
そして、支持ブロックを成形する工程は、当該支持ブロックをアクチュエータアームのそれぞれの先端部に成形し、支持部を、アクチュエータアームの側部に成形する、ことを特徴としている。支持ブロックを成形する工程は、マイクロアクチュエータの表面に低く形成された段状の表側面部と、マイクロアクチュエータの裏面に低く形成された段状の裏側面部と、表側面部と裏側面部のうち少なくとも一方面から突出している支持部と、ヘッドジンバルアセンブリを係合する係合穴と、を有する段状支持部を成形する、ことを特徴としている。また、支持ブロックを成形する工程は、支持部にフレキシャのテール端部を支持する支持面を成形する、ことを特徴としている。そして、さらに、支持ブロックの支持部にフレキシャのテール端部を固定する工程を有する、ことを特徴としている。
【発明の効果】
【００２１】
本発明は、従来技術と比較すると、上述したように、ＨＳＡのアクチュエータアームに、フレキシャのテールの振動を抑制するために、フレキシャのテール端部を支持する支持部を有する段状支持部といった支持ブロックを形成している。これにより、磁気ヘッドスライダの位置ずれ量を抑制し、また、磁気ヘッドスライダの位置決めエラーを減少させることができる。そして、さらに、支持部は支持点ではなく支持面を有し、かかる面にてフレキシャのテール端部を支持しているため、フレキシャの状態がより安定し、かつ、振動から開放させることができる。
【発明を実施するための最良の形態】
【００２２】
本発明は、ヘッドジンバルアセンブリ（ＨＧＡ）用の乱流防止構造を装備したヘッドスタックアセンブリ（ＨＳＡ）である。これにより、回転している磁気ディスク上を浮上しているときにおける磁気ヘッドスライダの位置ずれを抑制することができ、磁気ヘッドスライダの位置決めエラーの発生を減少させることができる。特に、本発明では、ＨＳＡの各フレキシャのテール端部を支持するための支持部を有する支持ブロックを備えている点に特徴を有する。これによって、フレキシャのテール端部を、振動や位置ずれを生じさせる乱流から保護することができる。
【００２３】
以下、本発明のさらなる特徴及び利点は、後述する実施例にて、本発明の本質の一部を解説し、及び、図示した図面等を参照して説明する。
【実施例１】
【００２４】
本発明の第１の実施例を、図１乃至図８を参照して説明する。まず、図１乃至図２を参照して、本発明であるヘッドスタックアセンブリ（ＨＳＡ）の一般的な構成を説明する。図１及び図２に示すように、ＨＳＡ４００は、ボイスコイル４０１と、軸受穴に挿通される軸受部４０３を有するＥブロック４０２と、アクチュエータアーム４０５の自由端にまで所定の長さを有する複数のアクチュエータアーム４０５と、各アクチュエータアーム４０５の先端部４０８にそれぞれ固定される複数のヘッドジンバルアセンブリ５００（ＨＧＡ）と、を備えている。
【００２５】
そして、図１、図２、図９に示すように、ボイスコイル４０１は、ＨＳＡ４００を駆動するためのＶＣＭ１０７を形成するブロックアイロンアセンブリに、支持されている。これにより、装備された磁気ヘッドスライダ６０は、ディスク装置１００のディスク１０１上を浮上する。また、軸受部４０３は、ＨＳＡ４００をディスク装置１００のハウジング１０８に連結している。そして、磁気ヘッドスライダ６０は、磁気ディスク１０１の表面に対して記録再生するよう作動するために、それぞれ対応するＨＧＡ５００に支持されている。
【００２６】
そして、図３は、本実施例におけるＨＧＡの詳細な構成を示す図である。このＨＧＡ５００は、ベースプレート５０１と、ロードビーム５０３と、一体的に組み付けられたフレキシャ５０４及びヒンジ５０６と、を有するサスペンションを備えている。ヒンジ５０６は、フレキシャ５０４の磁気ヘッドスライダが装着される端部とは反対側のテール端部５０７を支持するための２つのフレキシャホルダ５０９を有している。そして、ＨＧＡ５００がアクチュエータアーム４０５の先端部４０８（図２参照）にかしめられて固定されるとき、ベースプレート５０１は、アクチュエータアーム４０５の先端部４０８の表面にかぶせられ、層状に係合され、２つのフレキシャホルダ５０９は、フレキシャ５０４のテール端部５０７を支持する。
【００２７】
ここで、さらに、図２に開示した本実施例におけるＨＳＡ４００のアクチュエータアーム４０５の詳細な構成を図４に示す。この図に示すように、本実施例におけるアクチュエータアーム４０５は、表側段状面部４０９ａ（表側面部）と、裏側段状面部４０９ｂ（裏側面部）と、フレキシャ５０４のテール端部５０７を支持するサイド支持プレート４１２（支持部）と、ＨＧＡ５００を固定する固定穴４１１（係合穴）と、を有する段状支持部が形成された先端部４０８（支持ブロック）を有している。
【００２８】
具体的に、アクチュエータアーム４０５の先端部４０８の表裏面は、アクチュエータアーム４０５自体の板厚が薄くなるよう、それぞれ段状に形成されている。つまり、アクチュエータアーム４０５の表裏面の先端部４０８付近は、それぞれ他端側よりも所定の高さだけ低く形成されている。また、先端部４０８の側部には、表裏面の段状面（４０９ａ，４０９ｂ）上にそれぞれ突出して表面に支持面を形成するサイド支持プレート４１２が形成されている。
【００２９】
上記構成を従来技術と比較すると、アクチュエータアーム４０５の先端部４０８は、本発明では段状面部４０９ａ，４０９ｂといった段状支持部が形成されており、さらに、フレキシャ５０４のテール端部５０７を支持するためのサイド支持プレート４１２を有している。かかる点が、従来のアクチュエータアームの平坦な先端部とは明らかに異なる。
【００３０】
また、図５乃至図６に、ＨＧＡ５００が連結されたアクチュエータアーム４０５の構造を示す。各ＨＧＡ５００のベースプレート５０１は、各アクチュエータアーム４０５の先端部４０８に形成された段状面部４０９ａあるいは４０９ｂにかしめられるなどして固着されている。また、各アクチュエータアーム４０５のサイド支持プレート４１２は、各フレキシャ５０４のテール端部５０７を支持している。その結果、フレキシャ５０４のテール端部５０７に、乱流によって振動や位置ずれが生じることを回避することができる。また、磁気ヘッドスライダ６０（図１参照）の位置ずれを抑制することにもでき、磁気ヘッドスライダの位置決めエラーを減少させることができる。
【００３１】
また、本実施例では、サイド支持プレート４１２は、略直方体形状であり、その表面にテール端部５０７を支持する支持面を有しているため、図６に示すように、サイド支持プレート４１２とテール端部５０７との間での接触が、広い領域で実現される。サイド支持プレート４１２とテール端部５０７との間における接触領域を広く取ることで、サイド支持プレート４１２の支持面にてテール端部５０７をより安定して支持することができる。これにより、位置ずれ抑制機能がより効果的に機能することとなる。
【００３２】
なお、サイド支持プレート４１２の形状は、図４に示す形状に限定されない。テール端部５０７を支持可能な形状であれば、いかなる形状であってもよい。そして、本発明にて、サイド支持プレート４１２は、より優れた位置ずれ抑制機能、及び、より高い安定性を実現可能に構成されていてもよい。
【００３３】
そして、図７に、本発明におけるＨＳＡ４００における位置ずれを計測したデータを示す。１０〜１４ｋＨｚの範囲における２つのピーク７０１によると、７２００ＲＰＭのディスク装置において磁気ヘッドスライダ６０が浮上しているときに、磁気ヘッドスライダの位置ずれがより小さくなっていることが判る。また、１０〜１４ｋＨｚの範囲における２つのピーク７０２によると、図３におけるフレキシャ５０４のテール端部５０７における乱流の影響を示しており、従来設計と比較すると、テール端部領域においてフレキシャの変位がより小さくなっており、磁気ヘッドスライダの位置ずれの変位も小さくなっている。換言すると、本発明におけるＨＳＡは、磁気ヘッドスライダの位置ずれを抑制するよう非常に改善されている。
【００３４】
また、本発明では、Ｅブロック４０２は、アクチュエータアームを１つのみ備えており、ＨＳＡ４００はＨＧＡを１つのみ備えている場合を例示したが、アクチュエータアーム４０５は、図４に示すような構造に限定されず、テール端部５０７を支持する支持部が形成されている構造であれば、いかなる構造であってもよい。また、ＨＧＡは、図３に示す形状、構造のものに限定されず、アクチュエータアームに固定装備可能であれば、いかなる形状、構造のものであってもよい。
【００３５】
ここで、上述したヘッドスタックアセンブリは、例えば、以下の手順にて製造することができる。まず、ボイスコイルを成形し、このボイスコイルに結合され、少なくとも１つアクチュエータアームを備えたＥブロックを成形し、さらに、アクチュエータアームのそれぞれの先端部に連結されており、磁気ヘッドスライダを搭載するフレキシャを有するサスペンションを備えた、少なくとも１つのヘッドジンバルアセンブリを成形する。そして、上述したＥブロックを成形する工程にて、フレキシャのテール端部を支持する支持部を有する少なくとも１つの支持ブロックを成形する。そして、各部品が組み付けられ、特に、支持ブロックの支持部にフレキシャのテール端部が固定されて、ヘッドスタックアセンブリが完成する。なお、各部品の成形は、いかなる順序にて成形されてもよい。
【００３６】
また、上記手順中の支持ブロックを成形する工程にて、支持ブロックをアクチュエータアームのそれぞれの先端部に成形し、支持部を、アクチュエータアームの側部に成形している。また、上記支持ブロックを成形する工程にて、マイクロアクチュエータの表面に低く形成された段状の表側面部と、マイクロアクチュエータの裏面に低く形成された段状の裏側面部と、表側面部と裏側面部のうち少なくとも一方面から突出している支持部と、ヘッドジンバルアセンブリを係合する係合穴と、を有する段状支持部を成形している。また、上記支持ブロックを成形する工程にて、支持部にフレキシャのテール端部を支持する支持面を成形している。
【実施例２】
【００３７】
図９は、本発明の他の実施例であるディスク装置１００を示すものである。このディスク装置は、ハウジング１０８と、各ディスク表面にデータを磁気記憶可能な同心円状に複数のトラック（図示せず）が形成されている一組の磁気ディスク１０１と、スピンドルモータ１０２と、ＶＣＭ１０７と、上記実施例１にて説明した本発明であるＨＳＡ４００と、を備えている。そして、磁気ディスク１０１は、当該ディスク１０１を回転させるスピンドルモータ１０２に搭載されている。なお、このようなディスク装置の構成、かつ／あるいは、組み立て方法は、いわゆる当業者にとっては周知であるため、その詳細な説明は省略する。
【００３８】
本発明は、上述した実施例を参照して説明したが、かかる内容に限定されず、本発明の思想の範囲に含まれる種々の改良や同等の変形例も含まれる。
【産業上の利用可能性】
【００３９】
本発明のＨＳＡは、磁気ディスクを搭載した情報記憶装置であるディスク装置に搭載されるＨＳＡとして利用することができ、産業上の利用可能性を有する。
【図面の簡単な説明】
【００４０】
【図１】本発明におけるＨＳＡの構成を示す斜視図である。
【図２】本発明におけるＨＳＡの構成を示す斜視図であり、ＥブロックからＨＧＡを取り外した後の構成を示す。
【図３】図１に開示したＨＳＡに装備されるＨＧＡの詳細な構成を示す図である。
【図４】図１に開示したＨＳＡのアクチュエータアームの詳細な構成を示す図である。
【図５】図１に開示したＨＳＡの側面図を示す。
【図６】図１に開示したＨＳＡの先端部分の詳細な構成を示す側面図である。
【図７】本発明における磁気ヘッドスライダの位置ずれ変位を計測したデータを示す。
【図８】本発明におけるフレキシャの変位を計測したデータを示す。
【図９】図１に開示したＨＳＡを装備したディスク装置の構成を示す図である。
【図１０】従来例におけるディスク装置の構成を示す図である。
【図１１】従来例のＨＳＡにおいて、磁気ディスク上における磁気ヘッドスライダへの空気流経路を示す図である。
【図１２】従来例におけるＨＳＡに装備されたＨＧＡの側面図である。
【図１３】従来例における磁気ヘッドスライダの位置ずれ変位を計測したデータを示す。
【図１４】従来例におけるフレキシャの変位を計測したデータを示す。
【符号の説明】
【００４１】
６０  磁気ヘッドスライダ
１００  ディスク装置
１０１  磁気ディスク
１０２  スピンドルモータ
１０７  ボイスコイルモータ（ＶＣＭ）
１０８  ハウジング
４００  ヘッドスタックアセンブリ（ＨＳＡ）
４０１  ボイスコイル
４０２  Ｅブロック
４０３  軸受部
４０５  アクチュエータアーム
４０８  アクチュエータアームの先端部
４０９ａ  表側段状面部
４０９ｂ  裏側段状面部
４１１  固定穴
４１２  サイド支持プレート
５００  ヘッドジンバルアセンブリ
５０１  ベースプレート
５０３  ロードビーム
５０４  フレキシャ
５０６  ヒンジ
５０７  テール端部
５０９  フレキシャホルダ
【図１】
2007164968.tif 000003
【図２】
2007164968.tif 000004
【図３】
2007164968.tif 000005
【図４】
2007164968.tif 000006
【図５】
2007164968.tif 000007
【図６】
2007164968.tif 000008
【図７】
2007164968.tif 000009
【図８】
2007164968.tif 000010
【図９】
2007164968.tif 000011
【図１０】
2007164968.tif 000012
【図１１】
2007164968.tif 000013
【図１２】
2007164968.tif 000014
【図１３】
2007164968.tif 000015
【図１４】
2007164968.tif 000016